(57)【要約】【課題】パッチテストのために少量の内容物を他の部分を開封せずに容易に取り出すことができる包装袋を提供する。【解決手段】少なくとも基材層とシーラント層を有する積層体を、シーラント層同士が重なるように重ね合わせ、端部をシールして袋状とした包装袋１であって、包装袋が互いに大きさの異なる小室１２と大室１１に区分されるようにシールした区分シール部１３が設けられ、区分シール部は、包装袋から小室を切り離したとき、大室の、小室を切り離した部分１０に、内容物の注出筒となる部分が形成されるように設けられている。【選択図】図１
2019116300.tif 000002
【特許請求の範囲】
【請求項１】
少なくとも基材層とシーラント層を有する積層体を、シーラント層同士が重なるように重ね合わせ、端部をシールして袋状とした包装袋であって、包装袋が互いに大きさの異なる小室と大室に区分されるようにシールした区分シール部が設けられ、前記区分シール部は、包装袋から前記小室を切り離したとき、前記大室の、前記小室を切り離した部分に、内容物の注出筒となる部分が形成されるように設けられていることを特徴とする包装袋。
【請求項２】
前記区分シール部に、前記小室を包装袋から切り離すための切り離し線が設けられていることを特徴とする請求項１に記載の包装袋。
【請求項３】
前記注出筒となる部分の先端側の端部近傍に易開封線が設けられ、前記易開封線は前記切り離し線と交差しないことを特徴とする請求項２に記載の包装袋。
【請求項４】
前記切り離し線が、ミシン目加工、キズ加工またはレーザー照射によるハーフカット加工のいずれかで設けられていることを特徴とする請求項２または３に記載の包装袋。
【請求項５】
前記易開封線が、ミシン目加工、キズ加工またはレーザー照射によるハーフカット加工のいずれかで設けられていることを特徴とする請求項２から４のいずれかに記載の包装袋。
【請求項６】
前記基材層が、酸素透過度１．０ｃｃ／ｍ２・ｄａｙ・ａｔｍ以下のバリア性を持つ無機蒸着フィルムからなることを特徴とする請求項１から５のいずれかに記載の包装袋。
【請求項７】
前記区分シール部が、シールされた端部から当該端部と隣り合う他端部に連絡する直線状または曲線状であることを特徴とする請求項１から６のいずれかに記載の包装袋。
【請求項８】
前記区分シール部が、シールされた端部から同一の端部に連絡する直線状または曲線状であり、包装袋の内部方向に凸形状に小室が形成されてなることを特徴とする請求項１から６のいずれかに記載の包装袋。
【請求項９】
前記区分シール部が、前記大室に形成される注出筒が先細り形状となるように設けられていることを特徴とする請求項１から８のいずれかに記載の包装袋。
【請求項１０】
請求項１から９のいずれかに記載の包装袋にヘアカラー剤を内包してなることを特徴とするヘアカラー剤包装袋。
【発明の詳細な説明】
【技術分野】
【０００１】
本発明は、液体、粉体、粒体の内容物を収納する容器として用いられる包装袋に関し、特に、使用者が内容物に対する適性を調べるため、使用前に少量の内容物を手間なく取り出すことができる包装袋に関する。
【背景技術】
【０００２】
少なくとも基材層とシーラント層を有する積層体フィルムのシーラント層同士を対向させて、周縁をシールしてなる包装袋は、パウチとも称され、内容物の性質やその用途に合わせ、形状や積層体フィルムの構成を種々、設計、選択が可能で、軽量で取り扱い性が良く、比較的安価に製造できることから、液体、粉体、粒体など様々な内容物向けに広く用いられている。
【０００３】
パウチには、１枚の積層体フィルムをシーラント層が対向するように折り返し、三方の周縁をシールした三方シールパウチ、２枚の積層体フィルムのシーラント層を対向させて四方の周縁をシールした四方シールパウチ、三方シールパウチまたは四方シールパウチの一方の端部に底テープを挿入して底面が形成できるようにして自立性を持たせたスタンディングパウチ、マチを有して厚みを持たせたガセットパウチなどがあり、内容物や用途に応じて適切な形状のものが採用されている。
【０００４】
また、形状と共に、包装袋には内容物の特性に応じた機能が求められている。例えば特許文献１にはアルカリ性物質等に対する耐性の高い包装材料用の積層体の製造方法が開示されている。アルカリ性物質としては例えばヘアカラー剤が挙げられる。ヘアカラー剤は強アルカリ性を呈すると共に強い臭気があり、ヘアカラー剤用の包装袋にはアルカリ耐性だけでなくバリア性が要求される。また、ヘアカラー剤は使用者によってはアレルギー反応を引き起こして皮膚に異常を来たす可能性があるため、事前にパッチテストを行うことが推奨されており、ヘアカラー剤用の包装袋にはパッチテスト用に少量のヘアカラー剤を取り出す機能や再封性が要求されている。同様のパッチテストは、ヘアカラー剤以外にも、化粧品、洗浄剤、皮膚外用薬などでも必要とされる場合がある。
【０００５】
少量の内容物を別途取り出せるようにするためには、例えば特許文献２に開示されているような少量の容量の小袋を別途用意して、粘着テープやホットメルト接着剤などで包装袋の本体部分に貼り付けて添付する形態が適用可能である。しかしながら、このような形態の包装袋は、本体側の包装袋と小袋の２種類の袋を用意しなければならず、また別工程での充填を行わなければならず、またそれらを貼り合わせる工程も必要で、手間がかかるほか、貼り忘れや取り扱い中の脱落の可能性もある、という問題点があった。
【０００６】
また、再封性のある包装袋とした場合、パッチテストのために少量の内容物を取り出した後に再封することが可能であるが、パッチテストの結果アレルギー反応などがみられたときは使用できないので、一旦開封された状態とされた包装袋および内容物は無駄になって廃棄しなければならない。一旦開封された包装袋を廃棄する際には、内容物は下水などに流し、包装袋は別途廃棄しなければならないが、内容物によっては、例えばヘアカラー剤などでは、廃棄する際には、臭気が残ったり、手に付着するなどしてアレルギーを起こしてしまったりする可能性があり、注意が必要で手間がかかってしまうという問題もあった。
【先行技術文献】
【特許文献】
【０００７】
【特許文献１】特許第４８５２８７４号公報
【特許文献２】特開２００４−１３１１１２号公報
【発明の概要】
【発明が解決しようとする課題】
【０００８】
本発明は、上記のような従来技術の問題点を解決するためになされたもので、液体、粉体、粒体の内容物を収納する容器として用いられる包装袋であって、使用者が内容物に対する適性を事前に調べるためのパッチテスト用に少量の内容物を取り出す際に、パッチテストに必要な量以外の内容物を収納した部分を開封することなく、手間なく少量の内容物を取り出すことができる包装袋を提供することを課題とする。
【課題を解決するための手段】
【０００９】
上記課題を解決するため、本発明の請求項１に係る発明は、
少なくとも基材層とシーラント層を有する積層体を、シーラント層同士が重なるように重ね合わせ、端部をシールして袋状とした包装袋であって、包装袋が互いに大きさの異なる小室と大室に区分されるようにシールした区分シール部が設けられ、前記区分シール部は、包装袋から前記小室を切り離したとき、前記大室の、前記小室を切り離した部分に、内容物の注出筒となる部分が形成されるように設けられていることを特徴とする包装袋である。
【００１０】
また、請求項２に係る発明は、
前記区分シール部に、前記小室を包装袋から切り離すための切り離し線が設けられていることを特徴とする請求項１に記載の包装袋である。
【００１１】
また、請求項３に係る発明は、
前記切り離し線の、前記注出筒となる部分の先端側の端部近傍に、前記大室および前記小室を開封するための、前記切り離し線に直交して交差するノッチが設けられていることを特徴とする請求項２に記載の包装袋である。
【００１２】
また、請求項４に係る発明は、
前記切り離し線が、ミシン目加工、キズ加工またはレーザー照射によるハーフカット加工のいずれかで設けられていることを特徴とする請求項２または３に記載の包装袋である。
【００１３】
また、請求項５に係る発明は、
前記易開封線が、ミシン目加工、キズ加工またはレーザー照射によるハーフカット加工のいずれかで設けられていることを特徴とする請求項２から４のいずれかに記載の包装袋である。
【００１４】
また、請求項６に係る発明は、
前記基材層が、酸素透過度１．０ｃｃ／ｍ２・ｄａｙ・ａｔｍ以下のバリア性を持つ無機蒸着フィルムからなることを特徴とする請求項１から５のいずれかに記載の包装袋である。
【００１５】
また、請求項７に係る発明は、
前記区分シール部が、シールされた端部から当該端部と隣り合う他端部に連絡する直線状または曲線状であることを特徴とする請求項１から６のいずれかに記載の包装袋である。
【００１６】
また、請求項８に係る発明は、
前記区分シール部が、シールされた端部から同一の端部に連絡する直線状または曲線状であり、包装袋の内部方向に凸形状に小室が形成されてなることを特徴とする請求項１から
６のいずれかに記載の包装袋である。
【００１７】
また、請求項９に係る発明は、
前記区分シール部が、前記大室に形成される注出筒が先細り形状となるように設けられていることを特徴とする請求項１から８のいずれかに記載の包装袋である。
【００１８】
また、請求項１０に係る発明は、
請求項１から９のいずれかに記載の包装袋にヘアカラー剤を内包してなることを特徴とするヘアカラー剤用包装袋である。
【発明の効果】
【００１９】
本発明の請求項１に記載の発明によれば、包装袋に、パッチテスト用の少量の内容物を収納する小室が、それ以外の内容物を収納する大室と区分シール部で区分して設けられ、小室を切り離してその内容物でパッチテストに使用でき、大室は未開封の状態のままとすることができるとともに、小室を切り離すことにより大室に注出筒となる部分が形成され、大室を開封して内容物を他の容器などに注出する際に、零したり手に掛かったりすることなく容易に注出することができる包装袋を提供できる。
【００２０】
また請求項２に記載の発明によれば、区分シール部に切り離し線が設けられていることにより、小室を包装袋から容易に手で切り離すことができ、切り離し位置がずれて誤って小室または大室を開封してしまうことがなく、ハサミやカッターなどの道具を用意する必要がなく、道具により怪我をする虞がない包装袋を提供できる。
【００２１】
また請求項３に記載の発明によれば、端部近傍に設けられた易開封線を切り裂くことにより、大室および小室を開封する際にハサミやカッターなどの道具を用意する必要がなく手で容易に切り裂いて開封することができ、さらに易開封線が切り離し線と交差しない部位に設けられていることで、切り離し線を切り裂いて小室を切り離す際に、切り裂きが誤って易開封線に連続して小室または大室が開封されてしまうことがなく、安定して小室の切り離しが行える。
【００２２】
また請求項４に記載の発明によれば、切り離し線を、包装袋に弱め線を設けるのに一般的な装置や方法で容易に設けることができ、特別な設備を必要としない。
【００２３】
また請求項５に記載の発明によれば、易開封線を、包装袋に弱め線を設けるのに一般的な装置や方法で容易に設けることができ、特別な設備を必要としない。
【００２４】
また請求項６に記載の発明によれば、臭気に対するバリア性をより高めることができる。また、酸素の侵入による内容物の劣化を抑制することができる。
【００２５】
また請求項７に記載の発明によれば、パッチテスト用の小室の形状を好適なものにすることができると共に、大室に注出筒となる部分を容易に設けることができる。
【００２６】
また請求項８に記載の発明によれば、大室から注出する際に、注出筒側で包装袋を保持する部分を設けることができ、注出しやすい。
【００２７】
また請求項９に記載の発明によれば、小室を切り離したときに大室に形成される注出筒となる部分を先細り形状とすることができ、容器等に注出しやすい注出筒を備えた大室を得ることができる。
【００２８】
また請求項１０に記載の発明によれば、強アルカリ性のヘアカラー剤のパッチテストを
行うための少量のヘアカラー剤を、小室を切り離して開封することで容易に取り出すことができると共に大室は未開封の状態のままとすることができ、小室を切り離すことにより大室に注出筒となる部分が形成され、大室を開封してヘアカラー剤を他の容器などに注出する際に、強アルカリ性のヘアカラー剤が零れたり手に掛かったりする虞なく容易に注出することができるヘアカラー剤用包装袋を提供できる。
【図面の簡単な説明】
【００２９】
【図１】三方シールパウチの形態とした包装袋の例の説明図である。
【図２】包装袋から内容物を注出する態様の模式図である。
【図３】四方シールパウチの形態とした包装袋の例の説明図である。
【図４】小室に注出筒を設けた形態とした包装袋の例の説明図である。
【図５】切り離し線を曲線とした包装袋の例の説明図である。
【図６】注出筒となる部分を先細り形状とした包装袋の例の説明図である。
【図７】同一の端部に連絡する区分シール部を設けた包装袋の例の説明図である。
【図８】スタンディングパウチの形態とした包装袋の例の説明図である。
【図９】包装袋に易開封線を設けた態様の例の説明図である。
【図１０】比較例の包装袋の外観図である。
【発明を実施するための形態】
【００３０】
以下、本発明の実施の形態を詳細に説明する。なお本発明は以下に例示する実施形態に限定して解釈されるものではない。
【００３１】
図１は、本発明の包装袋の一実施形態の外観の説明図である。包装袋１は、三方シールパウチの形状であり、一側１９で折り返された積層体が上端部１６、側端部１７、下端部１８でシールして袋状とされ、さらに上端部１６から側端部１７に連絡する区分シール部１３により袋状の部分が大室１１と小室１２に区分されている。小室１２を包装袋１から切り離すには、区分シール部１３をハサミやカッターを用いて切り裂くことで切り離しが可能であるが、区分シール部１３に、ハサミやカッターなどの道具を使用せずに切り裂けるように弱め線となっている切り離し線１４を設けると、手で容易に切り離すことができ好適である。切り離し線１４は、具体的には積層体にミシン目加工、キズ加工またはレーザー照射によるハーフカット加工などの公知の加工方法を施すことにより設けることができる。また切り離し線１４の端部側には、切り裂きの開始点を示す切れ目１５を設けると、切り裂きを開始しやすくすると共に、切り裂きを開始する位置が分かりやすくなり好ましい。
【００３２】
切り離し線１４を切り裂くことにより、図１（ｂ）に示すように小室１２は切り離される。包装袋１に内容物が封入された状態で切り取られた小室１２には少量の内容物が封入されている状態とすることができ、例えばヘアカラー剤を内容物としたとき、パッチテスト用の少量のヘアカラー剤を、小室１２を開封することで取り出すことができ、大室１１の部分は密封状態のままでパッチテストを行うことができる。一方、包装袋１の小室１２を切り離した部分１０は、細長く伸びた形状となるため、大室１１を開封したときの注出筒となる部分である。内容物が封入された大室１１の注出筒となった部分の先端を切り離して開封すれば、図２に示すように開封により形成された開口部２０から内容物２１を他の容器２２に容易に注出することができる。またパッチテストの結果、アレルギー等の反応が現れて内容物のヘアカラー剤が使用できなくなった場合、大室１１の部分は密封状態のためそのまま廃棄でき、手間がかからない。
【００３３】
図３は、本発明の包装袋の別の実施形態の外観の説明図である。包装袋３は、四方シールパウチの形状であり、上端部３６、下端部３８、側端部３７、３９をシールすることで袋状とされ、区分シール部３３が設けられて袋状の部分が大室３１と小室３２に区分され
ている。区分シール部３３には切り離し線３４が設けられ、切り離し線３４を切り裂くことで、小室３２を包装袋３から切り離すことが可能になっていて、小室３２を包装袋３から切り離すことで、切り離した部分３０に注出筒とすることができる細長く伸びた部分が形成されるのは図１の例と同様である。また切り離し線３４の端部側には、切り裂きの開始点を示す切込み３５が設けられて切り裂きを開始しやすくすると共に、切り裂きを開始する位置を分かりやすくしている。切込み３５の形状に特に制限はなく、図１に例示した切れ目も含め、切り裂き開始位置を明示できるものであればどのような形状のものでも良い。
【００３４】
図４は、本発明の包装袋の別の実施形態の外観の説明図である。包装袋４は、区分シール部４３が、小室４２に他の部分よりも幅の狭い注出口となる部分４６が設けられるような形状としている。その結果小室４２は全体として包装袋４の内部側に凸の形状となっている。切り離し線４４は小室４２の形状に合わせて包装袋４の内部側に凸の形状となるように設けられている。このため、切れ目４５から切り裂かれて切り離された小室４２は注出口となる部分４６で幅の狭い部分ができ、小室４２を切り裂いて開封するときに切り裂きやすく、また幅の狭い注出口ができることで内容物を取り出しやすくなる。残された大室４１には図１、図３に例示したのと同様に切り離した部分４０に注出筒となる部分が形成されるため、大室４１を開封した際の注出も容易にできる。
【００３５】
図５は、切り離し線５４をなめらかな曲線で連続するようにした例であり、一方の端部側から切り離し線５４の切り裂きを進めたときに、他方の端部側に延びる部分にスムーズに切裂きを連続して小室５２を切り離すことができ、誤って他の部分を切り裂いてしまうことがないため、より好ましい。
【００３６】
また図６（ａ）に例示するように、切り離し線６４を上端部６６に対して斜めに設けても良く、斜めに設けることにより、小室６２を切り離した部分６０は先細り形状となり、大室６１の注出筒としたときに注出先の容器などにあてがい易く、こぼし難くできる。また図６（ｂ）に示すように、切り離し線６７の始点と終点が、互いに対向する上端部６６と下端部６８に亘って設けられても良い。また図７に例示したように、切り離し線７３の始点および終点が同一の上端部７６となり、小室７２が、包装袋７の内側に凸の形状となるように設けられても良い。この様にすると、小室７２を切り離した後に大室７１から内容物を注出する際、図７（ｂ）に示すように注出筒側の端部の反対側の部分７７を保持することができ、注出が安定して行える。
【００３７】
また図８に例示したように、底部に底テープ８８を挟みこんで底面が形成できるようにして自立性を持たせた、いわゆるスタンディングパウチの形状とすることもでき、小室８２の切り離しに係らず包装袋８を自立させた状態で保管が出来るため好ましい。
【００３８】
また、分離されたあとの小室と大室の開封を、ハサミやカッターなどの道具を使用せずに容易に行うためのノッチ９１を、注出筒となる部分の先端側の端部近傍に設けることができる。図９では上端部９３の近傍に設けられる。ノッチ９１は切り離し線９４と直交して交差するように設けられる。ノッチ９１は図９（ａ）の様に単なる切込みでも良く、また図９（ｂ）の様にＶ字状の切欠きとなるように設けても良い。またノッチ９１に連続して、脆弱化線である易開封線９５、９６を大室または小室またはその両方に設けても良い。ノッチ９１は切り離し線９４に交差して設けることにより、包装袋の外周にノッチを設けたときに比べ、引っ掛けるなどして誤ってノッチから切り裂かれ、意図せずに開封が行われてしまう可能性が少なくできより好ましい。なお易開封線９５、９６は、具体的には積層体にミシン目加工、キズ加工またはレーザー照射によるダメージ加工、ハーフカット加工などの公知の加工方法を施すことにより設けることができる。
【００３９】
以上説明したような本発明の包装袋に、ヘアカラー剤を収納することにより、パッチテスト用の少量のヘアカラー剤は小室を開封することで容易に取り出すことができ、大室は密封したままとすることができ、強アルカリ性のヘアカラー剤を零したり、処分や廃棄が面倒になることがないヘアカラー剤包装袋を得ることができる。
【００４０】
本発明の包装袋に適用される積層体は、少なくとも基材層とシーラント層を有する構成であり、それ以外に適宜フィルム等を積層して構成することができる。例えば基材層とシーラント層の間に中間層としてポリアミドフィルム層を設けると、強アルカリ性の内容物からダメージを受けることが少なく、ヘアカラー剤のような内容物に好適に適用できる。
【００４１】
また基材層は、たとえばポリオレフィン（ポリエチレン、ポリプロピレン等）、ポリエステル（ポリエチレンテレフタレート、ポリブチレンテレフタレート、ポリエチレンナフタレート等）などの公知のプラスチックフィルムから用途に応じて適宜選択して使用できるが、酸素透過度１．０ｃｃ／ｍ２・ｄａｙ・ａｔｍ以下のバリア性を持つ無機蒸着フィルムとすると、強い臭気を持つ内容物、例えばヘアカラー剤などを収納した場合でも臭気が外部に漏れることがなく、好適に収納できる。具体的には、入手が容易で比較的安価であるポリエステルフィルムに、ＳｉＯｘなどの無機酸化物を蒸着したものが好適に適用できる。
【００４２】
またシーラント層は、各種熱可塑性樹脂を使用できるが、例えばポリオレフィン系樹脂であれば、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、無延伸ポリプロピレン樹脂（ＣＰＰ）、プロピレン−エチレンランダム共重合体、プロピレン−エチレンブロック共重合体、プロピレン−αオレフィン共重合体などのポリプロピレン系樹脂等を使用することができる。
【実施例】
【００４３】
以下に実施例を挙げて本発明をさらに詳細に説明する。
【００４４】
＜実施例１＞
図１に例示したのと同様の三方シールパウチ形状の包装袋を以下の層構成となる様に、接着剤または基材層にシーラント層を押出しコートにより積層して作成した。
・基材層：ＳｉＯｘ蒸着ポリエステルフィルム（厚み１２μｍ）
・シーラント層：直鎖状低密度ポリエチレン（厚み４０μｍ）
パウチにヘアカラー剤を充填し、小室の切り離し、小室および大室からの内容物の注出を行い、少量の内容物の取り出しが支障なく行えるか、内容物の注出の際にこぼれが発生しないか、を基準に評価を行った。
【００４５】
＜実施例２＞
パウチの形状を、図３に例示したのと同様の四方シールパウチとした以外は、実施例１と同様の構成とし、実施例１と同様の評価を行った。
【００４６】
＜実施例３＞
パウチの形状を、図４に例示したのと同様の三方シールパウチとした以外は、実施例１と同様の構成とし、実施例１と同様の評価を行った。
【００４７】
＜比較例１＞
実施例１と同様の積層体を折り返し、図１０（ａ）に示すような三方の周縁をシールした小室のない三方シールパウチ形状とし、実施例１と同様の評価を行った。
【００４８】
＜比較例２＞
実施例１と同様の積層体で、図１０（ｂ）に示すような四方の周縁をシールした小室のない四方シールパウチ形状とし、実施例１と同様の評価を行った。
【００４９】
＜比較例３＞
実施例１と同様の積層体を折り返し、図１０（ｃ）に示すような区分シール部１０３と切り離し線１０４を設けた三方シールパウチとし、実施例１と同様の評価を行った。
【００５０】
以上の各例の結果を表１にまとめる。
【００５１】
【表１】
2019116300.tif 000003
【００５２】
表１から明らかなように、本発明の包装袋においてはいずれも小室を切り離すことで容易に少量の内容物の分け取りが問題なく行え、また内容物を取り出す際にも、小室、大室共にこぼれることなく取り出すことができた。一方、比較例１、比較例２においては少量の取出しが難しく、比較例３においては注出筒が形成されないため注出の際にこぼれが発生してしまった。
【符号の説明】
【００５３】
１、３、４、７、８・・・包装袋
１０、３０、４０、６０・・・切り離した部分
１１、３１、４１、５１、６１、７１・・・大室
１２、３２、４２、５２、６２、７２、８２・・・小室
１３、３３、４３、１０３・・・区分シール部
１４、３４、４４、５４、６４、６７、７３、９４、１０４・・・切り離し線
１５、４５・・・切れ目
１６、３６、６６、７６、９３・・・上端部
１７、３７、３９、・・・側端部
１８、３８、６８・・・下端部
２０・・・開口部
２１・・・内容物
３５・・・切込み
４６・・・注出口となる部分
８８・・・底テープ
９１、９２、９５、９６・・・易開封線
【図１】
2019116300.tif 000004
【図２】
2019116300.tif 000005
【図３】
2019116300.tif 000006
【図４】
2019116300.tif 000007
【図５】
2019116300.tif 000008
【図６】
2019116300.tif 000009
【図７】
2019116300.tif 000010
【図８】
2019116300.tif 000011
【図９】
2019116300.tif 000012
【図１０】
2019116300.tif 000013